(57)【要約】【課題】従来の盗難防止装置において、鎖や紐状物では、搬送するものが貴重品であることを他人が簡単に分かるので、鎖や紐状物が切断された場合は簡単に持ち去ることができるという問題があった。【解決手段】発振部１に電源２によって駆動される発振器３が装着され、この発振器３は予め決められた周波数の信号を出力し、この信号は発振超音波振動子４に入力され、又、発振超音波振動子４に対向して、受信部５の受信超音波振動子６が設けられ、この受信超音波振動子６に受信器７が接続され、受信器７の出力は演算増幅器８の一方の端子に入力され、他方の端子に設定電圧が入力され、さらに、演算増幅器８の出力は反転回路９に入力され、反転回路９の出力は警報装置１０に入力されている。【選択図】        図１
2004227441.tif 000002
【特許請求の範囲】
【請求項１】
特定の周波数の発振信号を出力する発振器及び該発振器の出力で特定の周波数の超音波を出力する発振超音波振動子とを設けた発振部と、該発振部の前記発振超音波振動子からの超音波を受信する受信超音波振動子、該受信超音波振動子の出力を増幅する受信器、該受信器の出力が予め入力されている電圧より高い場合に出力を出し、予め入力されている電圧より低い場合に出力を停止する演算増幅器、該演算増幅器の出力を反転する反転回路、該反転回路の出力によって警報音を発生する警報装置からなる受信部とからなり、前記発振部と前記受信部との距離が離れた場合に、前記受信部から警報音を発生することを特徴とする盗難防止装置。
【請求項２】
前記発振部をボストンバック、トランク、搬送ケース、金庫等に装着することを特徴とする請求項１記載の盗難防止装置。
【請求項３】
前記受信部をボストンバック、トランク、搬送ケース、金庫等に装着することを特徴とする請求項１記載の盗難防止装置。
【請求項４】
前記受信部に前記演算増幅器の出力で動作し、前記周波数以外の周波数の信号を出力する発振器及び該発振器の出力で超音波を出力する発振超音波振動子を装着し、前記発振部に前記受信部の前記発振超音波振動子から発生した超音波を受信する受信超音波振動子、該受信超音波振動子の出力を増幅する受信器、該受信器の出力が予め入力されている電圧より高い場合に出力を出し、予め入力されている電圧より低い場合に出力を停止する演算増幅器、該演算増幅器の出力を反転する反転回路、該反転回路の出力によって警報音を発生する警報装置を設け、前記発振部と前記受信部との距離が離れた場合に、前記発振部からも警報音を発生することを特徴とする請求項１記載の盗難防止装置。
【発明の詳細な説明】
【０００１】
【発明が属する技術分野】
本発明は、超音波を送受信することによって、ボストンバック、トランク、搬送ケース、金庫等の盗難を防止することができる盗難防止装置に関するものである。
【０００２】
【従来の技術】
一般に、ボストンバック、トランク、搬送ケース等の盗難防止装置としては、鎖や丈夫な紐状物の一方を手や身体に装着し、他方をボストンバック、トランク、搬送ケース等に接続するようにしている。
【０００３】
【発明が解決しようとする課題】
しかしながら、このような鎖や紐状物では、搬送するものが貴重品であることを他人が簡単に分かるので、鎖や紐状物が切断された場合は簡単に持ち去ることができるという問題があった。
【０００４】
【課題を解決しようとする手段】
本発明は、特定の周波数の発振信号を出力する発振器及び該発振器の出力で特定の周波数の超音波を出力する発振超音波振動子とを設けた発振部と、該発振部の前記発振超音波振動子からの超音波を受信する受信超音波振動子、該受信超音波振動子の出力を増幅する受信器、該受信器の出力が予め入力されている電圧より高い場合に出力を出し、予め入力されている電圧より低い場合に出力を停止する演算増幅器、該演算増幅器の出力を反転する反転回路、該反転回路の出力によって警報音を発生する警報装置からなる受信部とからなり、前記発振部と前記受信部との距離が離れた場合に、前記受信部から警報音を発生するものであり、又、前記発振部をボストンバック、トランク、搬送ケース、金庫等に装着するものであり、さらに、前記受信部をボストンバック、トランク、搬送ケース、金庫等に装着するものであり、又、前記受信部に前記演算増幅器の出力で動作し、前記周波数以外の周波数の信号を出力する発振器及び該発振器の出力で超音波を出力する発振超音波振動子を装着し、前記発振部に前記受信部の前記発振超音波振動子から発生した超音波を受信する受信超音波振動子、該受信超音波振動子の出力を増幅する受信器、該受信器の出力が予め入力されている電圧より高い場合に出力を出し、予め入力されている電圧より低い場合に出力を停止する演算増幅器、該演算増幅器の出力を反転する反転回路、該反転回路の出力によって警報音を発生する警報装置を設け、前記発振部と前記受信部との距離が離れた場合に、前記発振部からも警報音を発生するものである。
【０００５】
【発明の実施の形態】
本発明は、超音波を発生する発振部と、発振部から発生した超音波を常に受信することにより、発振部と受信部が離れて、発振部からの超音波が受信部に届かない場合に、発振部の警報装置から警報音を発生して、発振部又は受信部が移動されていることを警報し、さらに、受信部に受信超音波振動子を設けて、受信した信号によって発振超音波振動子から超音波を発生し、発振部に設けた受信超音波振動子で受信部からの超音波を受信し、発振部と受信部から離れた場合に発振部からも警報音を発生することにより、より盗難を防止することができる。
【０００６】
【実施例】
図１は本発明の実施例の盗難防止装置のブロック図で、発振部１に電源２によって駆動される発振器３が装着され、この発振器３は予め決められた周波数の信号を出力し、この信号は発振超音波振動子４に入力され、又、発振超音波振動子４に対向して、受信部５の受信超音波振動子６が設けられ、この受信超音波振動子６に受信器７が接続され、受信器７の出力は演算増幅器８の一方の端子に入力され、他方の端子に設定電圧が入力され、さらに、演算増幅器８の出力は反転回路９に入力され、反転回路９の出力は警報装置１０に入力されている。
【０００７】
このように構成した本実施例の盗難防止装置では、発振部１の発振器３から常に特定の周波数の信号が発振超音波振動子４に入力され、それによって、発振超音波振動子４から超音波が発生し、又、受信部５では、受信超音波振動子６により、発振超音波振動子４から発生する超音波を受信し、受信器７で増幅し、この信号は演算増幅器８に一方の端子に入力されて、他方の端子に入力された設定電圧より高い場合に出力が出され、この演算増幅器８の高い出力は反転回路９に入力されることにより、出力が反転して停止され、警報装置１０には出力が出されず、警報は発生しない。
【０００８】
ここで、発振部１と受信部５の間が離れて発振部１の発振超音波振動子４で発生した超音波が受信部５の受信超音波振動子６で受信しない場合は、受信器７から演算増幅器８に入力される出力が低くなるので、設定電圧より低いと、演算増幅器８からの出力は停止され、反転回路９から出力が出され、それによって警報装置１０から警報音が発生し、発振部１と受信部５が離れたことを警報することができる。
【０００９】
この発振部１をボストンバック、トランク、搬送ケース、金庫等に装着し、受信部５を搬送する人が装着するか、受信部５をボストンバック、トランク、搬送ケース、金庫等に装着し、発振部１を搬送する人が装着することにより、ボストンバック、トランク、搬送ケース、金庫等から手を離した場合にあまり離れていなければ、警報装置１０は作動しないが、このボストンバック、トランク、搬送ケース、金庫等を持って離れた場合は、警報装置１０が作動して警報音を発生するので、搬送する人ばかりでなく、周囲の人も気が付いて盗難を防止することができる。
【００１０】
図２は本発明の他の実施例の盗難防止装置のブロック図で、１は発振部、２は電源、３は発振器、４は発振超音波振動子、５は受信部、６は受信超音波振動子、７は受信器、８は演算増幅器、９は反転回路、１０は警報装置で、これらの構成は上記実施例と同じであるので、説明は省略するが、本実施例では、発振部１に受信超音波振動子１１、受信器１２、演算増幅器１３、反転回路１４、警報装置１５を設け、又、受信部５に演算増幅器８の出力で動作する発振器１６を設け、発振器１６の出力で発振超音波振動子１７を駆動して超音波を出力するようにしている。
【００１１】
このように構成した本実施例では、受信部５の演算増幅器８の出力で発振器１６を駆動して発振超音波振動子１７から超音波を発振部１に向けて出力すると、発振部１の受信超音波振動子１１で超音波を受信することにより、受信超音波振動子１１の出力を受信器１２で増幅して演算増幅器１３に入力し、演算増幅器１３の出力がある場合に、反転回路１４から出力が無いので、警報装置１５は動作しないが、発振部１と受信部５が離れた場合に、受信部５の演算増幅器８から出力の設定電圧より小さくなって警報装置１０から警報音が発生するとともに、発振部１の演算増幅器１３の出力が小さくなって、反転回路１４から出力が出され、警報装置１５から警報音が発生するので、持ち去られる物と設置される物の両方から警報音が出され、より盗難を防止することができる。
【００１２】
本発明は、このように、搬送する物と搬送者及び搬送する物と設置場所のいずれかに発振部１又は受信部５を設けることにより、発振部１と受信部５とは目に見えることはなく、従って、重要な物を搬送しているように見えないので、盗難を防止することができ、さらに、発振部１と受信部５が離されることにより、盗難が発生した場合に、受信部５又は発振部１で警報音が発生するので、より盗難を防止することができる。
【００１３】
【発明の効果】
以上説明したように、本発明の盗難防止装置は、超音波を発生する発振部と、発振部から発生した超音波を常に受信することにより、発振部と受信部が離れて、発振部からの超音波が受信部に届かない場合に、発振部の警報装置から警報音を発生して、発振部又は受信部が移動されていることを警報し、さらに、受信部に受信超音波振動子を設けて、受信した信号によって発振超音波振動子から超音波を発生し、発振部に設けた受信超音波振動子で受信部からの超音波を受信し、発振部と受信部から離れた場合に発振部からも警報音を発生することにより、より盗難を防止することができるという利点がある。
【図面の簡単な説明】
【図１】本発明の実施例の盗難防止装置のブロック図である。
【図２】本発明の他の実施例の盗難防止装置のブロック図である。
【符号の説明】
１            発振部
２            電源
３            発振器
４            発振超音波振動子
５            受信部
６            受信超音波振動子
７            受信器
８            演算増幅器
９            反転回路
１０          警報装置
１１          受信超音波振動子
１２          受信器
１３          演算増幅器
１４          反転回路
１５          警報装置
１６          発振器
１７          発振超音波振動子
【図１】
2004227441.tif 000003
【図２】
2004227441.tif 000004